(57)【要約】【課題】簡易な構成でありながら、受信状態を自動的に調査するデジタル放送受信装置を提供する。【解決手段】  デジタル放送録画装置１は、チューナ部２、地上デジタルモジュール２５、ＴＶデコーダ３、制御部７、メモリ７０等を備える。チューナ部２は、アッテネータ２１、スイッチ２２、チューナ２３を備える。チューナ２３は、制御部７から指示された所定の物理チャンネルの放送信号を通して、これを増幅する。地上デジタルモジュール２５は、ＴＳを分離して出力し、所定の仮想チャンネルのパケットを抽出する。地上デジタルモジュール２５は、ＴＳを出力する過程で所定のエラー情報を訂正し、エラーレートを算出する。制御部７は、フィールドテスト機能７１を動作させたときに、スイッチ２２をアッテネータ２１側に設定して、チャンネルごとに、減衰レベルを段階的に下げながら、エラーレートを測定し、データを記録部４に記録させる。【選択図】図１
2008187583.tif 000002
【特許請求の範囲】
【請求項１】
アンテナから入力した信号の中から所定の物理チャンネルの信号を選択して増幅するチューナと、
前記チューナ部から出力された信号をデジタル信号に復調し、該復調したデジタル信号について誤り訂正を行う復調部と、を備えたデジタル放送受信装置において、
前記アンテナから入力した信号を減衰させて、前記チューナに出力するアッテネータと、
前記アンテナから入力した信号を前記アッテネータに入力するか、前記チューナに直接入力するかのいずれかに切り換える切り替えスイッチと、
各物理チャンネルについて復調したデジタル信号の誤り訂正ができなくなる前記アッテネータの減衰レベルの限界を測定する測定手段と、
前記測定手段により測定したデータを記憶する記憶手段と、を備え、
前記復調部は、前記復調したデジタル信号の誤り訂正をする際に、エラーレートを測定するエラーレート測定手段を有し、
前記アッテネータは、前記測定手段が指示する減衰レベルに応じて前記アンテナから入力した信号を減衰させ、
前記測定手段は、
（Ａ）前記切り換えスイッチを前記アッテネータ側に設定し、
（Ｂ）所定の物理チャンネルの信号を選択するよう前記チューナに指示し、
（Ｃ１）前記減衰レベルを段階的に下げながら、各々の減衰レベルでエラーレートを測定して、その測定結果を前記記憶手段に記憶させ、
（Ｃ２）前記減衰レベルを段階的に下げる過程で、前記復調部が誤り訂正をすることが可能か判断し、誤り訂正をすることが不可能となったときに、前記測定していた物理チャンネルについて、前記誤り訂正をすることが不可能となった減衰レベルＡ１または前記誤り訂正をすることが可能であった限界の減衰レベルＡ２のいずれかまたは両方を前記記憶手段に記憶させ、
（Ｄ）複数の物理チャンネルについて前記（Ｂ）、（Ｃ１）、（Ｃ２）の動作を行い、
前記記憶手段は、前記物理チャンネルごとに前記減衰レベルと前記エラーレートをまとめたデータテーブルを記憶するデジタル放送受信装置。
【請求項２】
アンテナから入力した信号の中から所定の物理チャンネルの信号を選択して増幅するチューナと、
前記チューナ部から出力された信号をデジタル信号に復調し、該復調したデジタル信号について誤り訂正を行う復調部と、を備えたデジタル放送受信装置において、
前記アンテナから入力した信号を減衰させて、前記チューナに出力するアッテネータと、
前記アンテナから入力した信号を前記アッテネータに入力するか、前記チューナに直接入力するかのいずれかに切り換える切り替えスイッチと、
各物理チャンネルについて復調したデジタル信号の誤り訂正をすることができなくなる前記アッテネータの減衰レベルの限界を測定する測定手段と、
データを記憶する記憶手段と、を備え、
前記アッテネータは、前記測定手段が指示する減衰レベルに応じて前記アンテナから入力した信号を減衰させ、
前記測定手段は、
（Ａ）前記切り換えスイッチを前記アッテネータ側に設定し、
（Ｂ）所定の物理チャンネルの信号を選択するよう前記チューナに指示し、
（Ｃ２）前記減衰レベルを段階的に下げながら、前記復調部が前記誤り訂正をすることが可能か判断し、前記誤り訂正をすることが不可能となったときに、前記測定していた物理チャンネルについて、前記誤り訂正をすることが不可能となった減衰レベルＡ１または前記誤り訂正をすることが可能であった限界の減衰レベルＡ２のいずれかまたは両方を前記記憶手段に記憶させ、
（Ｄ）複数の物理チャンネルについて前記（Ｂ）、（Ｃ２）の動作を行うデジタル放送受信装置。
【請求項３】
前記測定手段は、前記Ａ１、Ａ２を前記記憶手段に記憶させる代わりに、
（Ｃ３）前記減衰レベルを段階的に下げる過程で、前記復調部が前記誤り訂正をすることが不可能になったときに、前記減衰レベルの刻み幅を小さくして、再度、前記復調部が誤り訂正をすることが不可能になるまで前記減衰レベルを段階的に下げ続け、
（Ｃ４）前記測定していた物理チャンネルについて、前記復調部が前記誤り訂正をすることが不可能になったときに、前記誤り訂正をすることが不可能となった減衰レベルＡ１’または前記誤り訂正をすることが可能であった限界の減衰レベルＡ２’を前記記憶手段に記憶させる請求項２に記載のデジタル放送受信装置。
【請求項４】
前記復調部は、前記トランスポートストリームを抽出する際に、前記誤り訂正のエラーレートを測定するエラーレート測定手段を有し、
前記測定手段は、
（Ｃ１）前記減衰レベルを段階的に下げる過程で、各々の減衰レベルでエラーレートを測定して、その測定結果を前記記憶手段に記憶させる請求項２、３のいずれかに記載のデジタル放送受信装置。
【請求項５】
前記記憶手段は、前記物理チャンネルごとに前記減衰レベルと前記エラーレートとの関係をまとめたデータテーブルを記憶する請求項４に記載のデジタル放送受信装置。
【発明の詳細な説明】
【技術分野】
【０００１】
本発明は、受信限界レベルを測定する機能を有するデジタル放送受信装置に関する。
【背景技術】
【０００２】
従来より、デジタル放送受信装置を実際に各地で使用できるかを調査するフィールドテストが行われている。このフィールドテストでは、どこまで減衰すればエラーレートが増大して、デジタル放送受信装置の復調部がＯＦＤＭ復調（Orthogonal Frequency Division Multiplexing）したデジタルデータを誤り訂正できなくなるか、またはどこまで減衰すれば誤り訂正して生成したＴＳ（Transport Stream）から生成したＭＰＥＧをデコードできなくなるかを測定する。このフィールドテストを行うため、技術者が赴いて、アッテネータを操作して、受信状況を調査することが行われている。
【０００３】
一方、特許文献１には、電界強度の強い局の信号を選択するチューナ回路が開示されている。特許文献１では、アッテネータ回路を設けて、非減衰状態と、減衰状態に切り換えて、電界強度検出回路から入力した電界強度信号に基づき、受信局の電界強度を決定する旨の記載がある。また、特許文献２には、ビット誤り率からデジタル放送の受信信号の受信レベルを測定する旨、開示されている。
【特許文献１】特開平７−３２１６８５号公報
【特許文献２】特開２００６−６０６５公報
【発明の開示】
【発明が解決しようとする課題】
【０００４】
しかしながら、従来のデジタル放送受信装置は、受信状態を調査する測定が手作業であったため、開発部門の技術者が現地に赴く必要があった。したがって、この調査を広範囲に行うことが困難であった。
【０００５】
そこで、本発明は、簡易な構成でありながら、受信状態を自動的に調査するデジタル放送受信装置を提供することを目的とする。
【課題を解決するための手段】
【０００６】
本発明は、上述の課題を解決するための手段を以下のように構成している。
【０００７】
（１）  アンテナから入力した信号の中から所定の物理チャンネルの信号を選択して増幅するチューナと、
前記チューナ部から出力された信号をデジタル信号に復調し、該復調したデジタル信号について誤り訂正を行う復調部と、を備えたデジタル放送受信装置において、
前記アンテナから入力した信号を減衰させて、前記チューナに出力するアッテネータと、
前記アンテナから入力した信号を前記アッテネータに入力するか、前記チューナに直接入力するかのいずれかに切り換える切り替えスイッチと、
各物理チャンネルについて復調したデジタル信号の誤り訂正をすることができなくなる前記アッテネータの減衰レベルの限界を測定する測定手段と、
データを記憶する記憶手段と、を備え、
前記アッテネータは、前記測定手段が指示する減衰レベルに応じて前記アンテナから入力した信号を減衰させ、
前記測定手段は、
（Ａ）前記切り換えスイッチを前記アッテネータ側に設定し、
（Ｂ）所定の物理チャンネルの信号を選択するよう前記チューナに指示し、
（Ｃ２）前記減衰レベルを段階的に下げながら、前記復調部が前記誤り訂正をすることが可能か判断し、前記誤り訂正をすることが不可能となったときに、前記測定していた物理チャンネルについて、前記誤り訂正をすることが不可能となった減衰レベルＡ１または前記誤り訂正をすることが可能であった限界の減衰レベルＡ２のいずれかまたは両方を前記記憶手段に記憶させ、
（Ｄ）複数の物理チャンネルについて前記（Ｂ）、（Ｃ２）の動作を行う。
【０００８】
この構成では、測定手段が、復調部が誤り訂正をすることが不可能になるまで段階的に減衰レベルを下げる。復調部が誤り訂正をすることが不可能になったときには、正確な受信を行うことができない。この構成では、Ａ１、Ａ２のいずれかを測定することにより、受信限界レベル（アッテネータの減衰レベルの限界）を測定できる。そして、この構成では、測定手段が、複数の物理チャンネルについて各々調査する。したがって、受信状態を自動的に調査することができる。したがって、この調査のために技術者が現地で手動で調査する必要がない。よって、この構成によれば、フィールドテストを広範囲に行うことが容易になる。
【０００９】
なお、エラーレートは送信されたビット総数で誤りのビット数を割った値とすることができる。また、エラーレートが誤り情報を訂正した頻度の割合を示す値であれば、このようにビット数で計算しなくとも、エラーレートとして、どのようなものでもよい。
【００１０】
（２）  前記測定手段は、前記Ａ１、Ａ２を前記記憶手段に記憶させる代わりに、
（Ｃ３）前記減衰レベルを段階的に下げる過程で、前記復調部が前記誤り訂正をすることが不可能になったときに、前記減衰レベルの刻み幅を小さくして、再度、前記復調部が誤り訂正をすることが不可能になるまで前記減衰レベルを段階的に下げ続け、
（Ｃ４）前記測定していた物理チャンネルについて、前記復調部が前記誤り訂正をすることが不可能になったときに、前記誤り訂正をすることが不可能となった減衰レベルＡ１’または前記誤り訂正をすることが可能であった限界の減衰レベルＡ２’を前記記憶手段に記憶させる。
【００１１】
この構成では、測定手段は、復調部が誤り訂正をすることが不可能になるまで段階的に減衰レベルを下げる。この構成では、段階的に下げる過程で、前記復調部が前記誤り訂正をすることが不可能になったときに、前記減衰レベルの刻み幅を小さくし、再度、前記復調部が前記誤り訂正をすることが不可能になるまで前記減衰レベルを段階的に下げ続ける。したがって、誤り訂正をすることが不可能になる減衰レベルをより精度良く測定できる。
【００１２】
（３）  前記復調部は、前記トランスポートストリームを抽出する際に、前記誤り訂正のエラーレートを測定するエラーレート測定手段を有し、
前記測定手段は、
（Ｃ１）前記減衰レベルを段階的に下げる過程で、各々の減衰レベルでエラーレートを測定して、その測定結果を前記記憶手段に記憶させる。
【００１３】
この構成では、エラーレートを併せて測定するので、データ収集したときに、誤り訂正の傾向を把握できる。したがって、例えば、各地のフィールドデータを集めたときに装置開発に役立てることができる。
【００１４】
（４）  前記記憶手段は、前記物理チャンネルごとに前記減衰レベルと前記エラーレートとの関係をまとめたデータテーブルを記憶する。
【００１５】
この構成では、前記物理チャンネルごとに前記減衰レベルと前記エラーレートとの関係をまとめたデータテーブルを記憶する。したがって、誤り訂正の傾向を物理チャンネルごとに把握できる。したがって、例えば、各地のフィールドデータを集めたときに装置開発に役立てることができる。
【発明の効果】
【００１６】
簡易な構成でありながら、受信状態を自動的に調査することができる。これにより、技術者が赴かなくてもサービスマンがチェックすることができるので、技術者の手を煩わさなくて済む。また、フィールドテストを広範囲に行うことができる。
【発明を実施するための最良の形態】
【００１７】
図１を用いて、本実施形態のデジタル放送録画装置（図中１で図示）の構成について説明する。デジタル放送録画装置１は、デジタル放送を受信して、受信した番組を録画する録画装置である。
【００１８】
まず、デジタル放送録画装置１の構成を説明する前提として、物理チャンネル、仮想チャンネルについて説明する。チャンネル各放送局からはそれぞれ１つの所定周波数のＲＦ信号に乗せて１つのＴＳ（トランスポートストリーム）が送信されている。このＲＦ信号のチャンネルを物理チャンネルという。また、このＴＳから複数の放送番組（以下単に番組という。）が多重化されて送信されることが多く、それぞれの番組に対応するチャンネルを仮想チャンネルといい、ユーザがリモコン等で番組を選択するためのチャンネルである。
【００１９】
次に、デジタル放送録画装置１の構成について説明する。デジタル放送録画装置１は、チューナパック２、地上デジタルモジュール２５、記録部４、Ｄ／Ａ変換器６１、６２と、ＯＳＤ（オンスクリーンディスプレイ）合成部５、制御部７、操作部８を備える。またデジタル放送録画装置１の外部に、テレビジョン受像機１０２を備える。
【００２０】
アンテナ１０１は、電波を受信する。チューナパック２は、アッテネータ２１、切り換えスイッチ２２、チューナ２３を含んでいる。アッテネータ２１は、制御部７の指示に応じて、アンテナ１０１から入力した信号を減衰させる。スイッチ２２は、デジタルスイッチであり、アンテナ１０１から入力した信号をアッテネータ２１に入力するか、チューナ２３に直接入力するかを切り換える。スイッチ２２の構成としては、アッテネータ２１への入力のオン／オフ、チューナ２３への入力のオフ／オンを同時に切り換える構成でも良い。
【００２１】
チューナ２３は、例えば、ＩＦフィルタと、ＩＦアンプで構成できる。ＩＦフィルタ（intermediate frequency）は制御部７から指示された所定の物理チャンネルの信号を通す。ＩＦアンプは、この信号を増幅する。以上の構成により、チューナ２３は、制御部７により指定されたチャンネルの放送信号を抽出し、地上デジタルモジュール２５に出力する。
【００２２】
地上デジタルモジュール２５は、復調回路、誤り訂正回路、デマルチプレクサ、バッファメモリを備えている。復調回路は、入力された放送信号をデジタルデータにＯＦＤＭ（Orthogonal Frequency Division Multiplexing）復調し、誤り訂正回路に出力する。誤り訂正回路は入力されたデジタル信号の誤り訂正して、ＴＳ（トランスポートストリーム）を出力する。
【００２３】
また、地上デジタルモジュール２５は、エラーレートを算出する。エラーレートは送信されたビット総数で誤りのビット数を割った値である。送信されたビット総数を受信側で計算するには、誤り訂正できる限り送信されたデータを正確に受信できるから、その総数を送信されたビット総数とすることができる。
【００２４】
なお、エラーレートが、誤り情報を訂正した頻度の割合を示す値であれば、上述のようにビット数で計算しなくとも、エラーレートの計算にどのような計算式を用いてよい。
【００２５】
ＴＳには複数の仮想チャンネルの番組が多重化されて送信されている。また、ＴＳには、仮想チャンネル番号の情報が含まれている。デマルチプレクサは、これらの仮想チャンネルのうちの１チャンネルのパケットを抽出して、抽出したパケットに格納されているデータをバッファメモリに記憶させるとともに、チャンネル番号の情報を制御部７に出力する。以上の構成により、地上デジタルモジュール２５は、ＴＳに含まれる所定の仮想チャンネルの映像信号、チャンネル番号の情報を制御部７が指定に応じて出力できる。
【００２６】
テレビデコーダ３は、制御部２からの指示又は許可を受けてから、チューナ２１内のバッファメモリが記憶するデータを適宜読み出す。そして、読み出したデータから映像データと音声データとを分離する。また、テレビデコーダ３は、映像データと音声データを両データを伸長し、出力する。
【００２７】
記録部４は、エンコーダと、記録/読み出し部と、デコーダとを備え、制御部７の図示しない録画予約機能の制御により、地上デジタルモジュール２５の映像信号と音声信号を記録する。エンコーダは、例えばＭＰＥＧ形式にエンコードする。記録/読み出し部は、記録媒体（着脱可能なもののみならず添え付けのものを含む）と記録媒体への記録読み出しを行い、エンコードした映像信号を記録する。記録媒体は、ＣＤ、ＤＶＤ，ハードディスク、ビデオテープ等であり、映像信号を記録できるものであれば、何でも良い。記録/読み出し部は、例えば、記録媒体がＤＶＤであれば、光学ピックアップである。デコーダは、ドライブで読み出した映像信号をデコードする。
【００２８】
ＯＳＤ合成部５は、デジタル放送録画装置１の各種設定を表示し、ユーザにこれらの設定を選択させるための文字、図形の映像信号を出力する。ＯＳＤ合成部５は、ＯＳＤ画像メモリを備えており、制御部７から与えられる制御信号に基づいて、このＯＳＤ画像メモリが記憶している文字又は図形の映像信号を生成し、出力する。ＴＶデコーダ２５から映像信号が出力されている場合にはこの映像信号を合成する。
【００２９】
Ｄ／Ａ変換部６１は、ＯＳＤ合成部５から出力した映像信号をアナログの映像信号に変換し、外部のテレビジョン受像機１０２（テレビ受像機等）に出力する。Ｄ／Ａ変換部６２は、ＴＶデコーダ３、または記録部４のデコーダから出力された音声信号をアナログの音声信号に変換し、スピーカ１０３に出力する。
【００３０】
制御部７は、マイコンで構成し、ＭＰＵ、制御部７内のサブプログラムを格納するＲＯＭ（不図示）、制御部７の計算結果を一時的に記憶するメモリ７０を備え、デジタル放送録画装置１内の各部を制御する。例えば、チューナ２１内のバッファＲＡＭへの記録、読み出しタイミングや、記録部３２への記録タイミングなどを制御する。また、制御部７は、フィールドテスト機能７１、図示しない録画予約機能を実行するための各プログラムを上記ＲＯＭ内に格納している。
【００３１】
制御部７は、フィールドテスト機能７１を用いて、デジタル放送録画装置１について各種のテストを行う。なお、フィールドテスト機能７１は、本発明の測定手段に相当する。各地のサービスマンは、デジタル放送録画装置１が所定の場所で実際に機能するかを調査するために、フィールドテストを行う。サービスマンは、操作部８から所定の入力を行って、フィールドテスト機能７１を動作させる。フィールドテスト機能７１には、受信限界レベル（アッテネータの減衰レベルの限界）を調査する機能を含んでいる。この機能を動作させると、制御部７は、各物理チャンネルについて、スイッチ２２をアッテネータ２１が動作する方へ切り換える。そして、制御部７は、所定の物理チャンネルを選択するようチューナ２３に指示する。また、アッテネータ２１に減衰レベルを指示して、減衰レベルを段階的に切り換える。地上デジタルモジュール２５は、エラーレートを測定する。ＴＶデコーダ３がデコードできなくなった場合には、別の物理チャンネルについて同様の動作を行う。これにより、制御部７は、各チャンネルの受信限界レベルを調査する。
【００３２】
操作部８は、デジタル放送録画装置１に取り付けた操作子や、リモコンおよびリモコンからの赤外信号を受け付けるリモコン受光部で構成する。操作部８は、制御部７を操作するための制御入力を受け付ける。デジタル放送録画装置１またはリモコンの操作子が押下げられると、所定の制御入力が制御部７に入力される。
【００３３】
なお、この実施形態ではＤ／Ａ変換部６１、６２を設けているが、外部にデジタル信号対応のテレビジョンを接続する場合は、Ｄ／Ａ変換部６１、６２を設ける必要はない。また、この実施形態では、アンテナ１０１から受信しているが、ケーブルテレビ送信網を通じて受信するものでも良い。
【００３４】
図２を用いて、フィールドテスト機能７１を動作させたときに作成するデータのデータ形式について説明する。図２は、このデータ形式の１例を示しており、物理チャンネルごとに、地上デジタルモジュール２５が測定するエラーレート、アッテネータ２１に設定する減衰レベルを記録する。制御部７は、所定の物理チャンネルに設定して、図２に示すように段階的に減衰レベルを設定する。測定の過程で設定する減衰レベルを段階的に大きくする。ここで、減衰レベル[ｄＢ]が大きいほど出力される信号が小さいものとする。
【００３５】
地上デジタルモジュール２５は、それぞれのときの減衰レベルにおけるエラーレートを測定する。制御部７は、ＴＶデコーダ３がデコードできなくなったときのエラーレートを各チャンネルの最後に記録する。この記録は物理チャンネルごとに行い、メモリ７０に記憶させる。
【００３６】
なお、このメモリには、物理チャンネルごとのファイルとしてでなく、図２で示すように、物理チャンネル、減衰レベル、エラーレートを関連付けた形式のデータテーブルとして記憶してもよい。
【００３７】
また、この測定したデータを持ち帰るためには、記録部４に接続された移動可能な記録媒体に記録するか、通信装置に接続して、データを送信するなどの方法が可能である。
【００３８】
図３を用いて、フィールドテスト機能７１により行うフィールドテストのうちの受信限界レベル測定処理のフローについて説明する。図３に示すフローの例は、制御部７がフィールドテスト機能７１を動作させたときに行う処理を表している。
【００３９】
ＳＴ１で、制御部７は、スイッチ２２をアッテネータ２１側に設定する。
ＳＴ２で、制御部７は、物理チャンネルを所定のチャンネルを選択するようチューナ２３に指示する。この物理チャンネルの設定は、チューナ部２が受信できるバンド幅全体のうちアッテネータ２１を介さない場合に選択できるチャンネルを予め調査しておいて、その物理チャンネルのうちのいずれかを選択する。また、この物理チャンネルの設定は、チューナ部２、地上デジタルモジュール２５で受信できる電子放送番組表から、抽出したものでも良い。
ＳＴ３で、図２に示したように、所定の減衰レベルをアッテネータ２１に設定する。
ＳＴ４で、地上デジタルモジュール２５が測定したエラーレートの値をメモリ７０に記憶させる。
【００４０】
ＳＴ５で、地上デジタルモジュール２５が誤り訂正することが不可能かどうか判断する。地上デジタルモジュール２５が誤り訂正することが不可能でなければ（ＳＴ５のＮＯ）、さらに、所定刻み量減衰させる。ＳＴ５で地上デジタルモジュール２５が誤り訂正するとなるまで、ＳＴ２〜ＳＴ５を繰り返す。地上デジタルモジュール２５が誤り訂正することが不可能であれば（ＳＴ５のＹＥＳ）、この物理チャンネルの測定を停止し、前記誤り訂正をすることが不可能となった減衰レベルＡ１または前記誤り訂正をすることが可能であった限界の減衰レベルＡ２のいずれかまたは両方を記憶させる。その後、別の物理チャンネルについて、以上の測定を行う。この動作は、その地点で受信できるチャンネル数ｎについて測定が終わるまで繰り返す。
ＳＴ５の後、制御部７は、以上で測定したデータを記録部４の記録媒体に記録させる。記録媒体に記録するのは、各地で測定したデータを持ち帰るためである。通信手段に接続して送信しても良い。
【００４１】
なお、図３では、ＴＶデコーダ３がデコード不可能となれば別のチャンネルを測定した例を示した。しかし、最後に測定した減衰レベルの刻み幅を縮小して、再測定することにより、受信限界レベルをより正確に求めても良い。
【００４２】
また、本実施形態では記録部４を備えているが、必ずしも、映像信号を録画する記録部４を備えていなくてもよい。また、フィールドテスト機能７１が行ったデータを外部に持ち出すために、記録媒体を接続可能な構成としてもよい。また、記録媒体を接続しなくても、テレビジョン受像機１０２に結果を表示するものでも良い。
【００４３】
また、デジタル放送録画装置１と、テレビジョン受像機１０２が合体したデジタルテレビジョン受像機でも良い。この場合でも、必ずしも、映像信号を録画する記録部４を備えていなくてもよいが、表示機に表示するか、記録媒体を接続して、外部にデータを持ち出すことができればよい。
【００４４】
さらに、以上の実施形態では、地上デジタルモジュール２５で復調して誤り訂正して生成したストリームをＴＳで説明したが、ＴＳに限らず、映像、音声を送信するデジタルストリームであれば、何でも良い。例えば、ＰＳ（Program Stream）でもよい。
【図面の簡単な説明】
【００４５】
【図１】本実施形態のＤＶＤレコーダの構成を表す図
【図２】本実施形態のＤＶＤレコーダが受信状態を調査するデータの例を示す図
【図３】フィールドテスト機能により行うフィールドテストのうちの受信限界レベル測定処理のフローの例を示す図
【符号の説明】
【００４６】
１−デジタル放送録画装置、  ２−チューナ部、
２１−アッテネータ、  ２２−スイッチ、  ２３−チューナ、
２５−地上デジタルモジュール、  ３−ＴＶデコーダ、
４−録画部、  ５−ＯＳＤ合成部、
６１−Ｄ／Ａ変換器、  ６２−Ｄ／Ａ変換器
７−制御部、  ７１−フィールドテスト機能、
８−操作部、  １０１−アンテナ、  １０２−テレビジョン受像機
【図１】
2008187583.tif 000003
【図２】
2008187583.tif 000004
【図３】
2008187583.tif 000005